(57)【要約】【課題】最適な通信ネットワークの環境で設備情報を設備管理サーバに通信することのできる設備監視制御装置等を提供する。【解決手段】設備管理サーバとの間で瞬間値情報及び累積値情報の同期通信を行う第２通信部３４と、第２通信部３４と設備管理サーバとの間で行われる瞬間値情報の同期通信の失敗回数をカウントするカウント部３５と、第２通信部３４により行われた同期通信の結果情報を取得し、その結果情報に基づき累積値情報の通信タイミングを計算する同期タイミング計算部３６と、算出された新たな通信タイミングにより累積値情報の同期通信を行うように、第２通信部３４に指示する同期通信指示部３７とを設備監視制御装置３に備え、過去の瞬間値情報に係る同期通信の失敗回数に基づいて通信状況が最も良好な時間帯を導き、この時間帯に累積値情報を設備管理サーバに同期通信するようにした。【選択図】      図３
2004234258.tif 000002
【特許請求の範囲】
【請求項１】
動作状態が変化する監視対象設備との間で前記動作状態に係る１または複数種類の設備情報の通信を行う第１の通信手段と、
前記第１の通信手段により受信した設備情報を記憶する記憶手段と、
前記記憶手段に記憶された設備情報を通信ネットワークを介して設備管理サーバに通信する第２の通信手段と、
前記第２の通信手段により行われた設備情報の通信結果に基づいて、前記第２の通信手段の新たな通信タイミングを導出し、その通信タイミングで前記第２の通信手段に通信を行わせる通信制御手段と、
を備えることを特徴とする設備監視制御装置。
【請求項２】
前記監視対象設備は、資源を所定の消費場所に供給するための設備であり、前記第１の通信手段は、第１の所定時間内における資源の使用量に係る第１の設備情報と、前記第１の所定時間に比して長い第２の所定時間内における資源の使用量に係る第２の設備情報とを前記監視対象設備との間で通信し、前記通信制御手段は、前記第１の設備情報の通信結果に基づいて、前記第２の設備情報の新たな通信タイミングを導出し、その通信タイミングで前記第２の設備情報の通信を前記第２の通信手段に行わせることを特徴とする請求項１記載の設備監視制御装置。
【請求項３】
前記通信制御手段は、前記設備管理サーバとの間で行った前記設備情報の通信の失敗回数に基づいて、前記新たな通信タイミングを導出することを特徴とする請求項１または２に記載の設備監視制御装置。
【請求項４】
前記通信制御手段は、前記設備管理サーバとの間で行った前記設備情報の通信を行うためのコネクションの確立に要した時間に基づいて、前記新たな通信タイミングを導出することを特徴とする請求項１または２に記載の設備監視制御装置。
【請求項５】
前記通信制御手段は、前記設備管理サーバとの間で行った前記設備情報の通信の実効速度に基づいて、前記新たな通信タイミングを導出することを特徴とする請求項１または２に記載の設備監視制御装置。
【請求項６】
請求項１ないし５のいずれかに記載の設備監視制御装置と、
前記設備監視制御装置との間で所定の通信線を介して通信可能に接続された、動作状態が変化する監視対象設備と、
前記設備監視制御装置に通信ネットワークを介して通信可能に接続された設備管理サーバとを備え、
前記監視対象設備は、自己の動作状態に係る１または複数種類の設備情報を前記通信線を介して前記設備監視制御装置に送信する送信手段を有し、
前記設備管理サーバは、前記設備監視制御装置から送信される前記設備情報を受信する受信手段と、受信した設備情報を記憶する記憶手段とを有することを特徴とする設備監視制御システム。
【請求項７】
設備監視制御装置に、動作状態が変化する監視対象設備の前記動作状態に係る１または複数種類の設備情報を該監視対象設備から取得させて、その取得した設備情報を、前記監視対象設備の動作状態を監視する設備管理サーバに提供させるためのプログラムであって、
前記設備監視制御装置を、
前記監視対象設備との間で前記設備情報の通信を行う第１の通信手段と、
前記第１の通信手段により受信した設備情報を記憶する記憶手段と、
前記記憶手段に記憶された設備情報を通信ネットワークを介して設備管理サーバに通信する第２の通信手段と、
前記第２の通信手段により行われた設備情報の通信結果に基づいて、前記第２の通信手段の通信タイミングを導出し、その通信タイミングで前記第２の通信手段に通信を行わせる通信制御手段として機能させるためのプログラム。
【請求項８】
設備監視制御装置に、
動作状態が変化する監視対象設備との間で、前記動作状態に係る１または複数種類の設備情報の通信を行う第１の通信手段と、
前記第１の通信手段により受信した設備情報を記憶する記憶手段と、
前記記憶手段に記憶された設備情報を通信ネットワークを介して、前記監視対象設備の状態を監視する設備管理サーバに通信する第２の通信手段と、
前記第２の通信手段により行われた設備情報の通信結果に基づいて、前記第２の通信手段の通信タイミングを導出し、その通信タイミングで前記第２の通信手段に通信を行わせる通信制御手段としての機能を搭載させて、
前記監視対象設備から取得した設備情報を前記設備管理サーバに提供させるためのプログラムが記録された、前記設備監視制御装置により読取可能な記録媒体。
【発明の詳細な説明】
【０００１】
【発明の属する技術分野】
本発明は、電力供給を行う設備等を監視対象とする設備監視制御装置が、通信ネットワークを介して設備管理サーバに接続され、設備管理サーバにより遠隔から上記設備の監視等を行う設備監視制御システムに関する。
【０００２】
【従来の技術】
従来、図１０に示すように、監視対象設備１０１と、監視対象設備１０１の動作状態の監視や制御を行う設備監視制御装置１０２と、設備管理サーバ１０３とを備えてなり、設備監視制御装置１０２が監視対象設備１０１から取り込んだ該監視対象設備１０１の動作状態に係る情報（以下、状態情報という）を、通信ネットワークを介して設備管理サーバ１０３に送出し、その状態情報を設備管理サーバ１０３の記憶部に格納することで、監視対象設備１０１の状態を設備管理サーバ１０３で遠隔的に監視する設備監視制御システム１００が知られている（例えば特許文献１）。
【０００３】
【特許文献１】
特許第３０６５０５３号
【０００４】
【発明が解決しようとする課題】
従来の設備監視制御システム１００では、監視対象設備１０１の状態情報を一定の周期で設備監視制御装置１０２から設備管理サーバ１０３に送出するようにしていたので、通信ネットワークの通信状況が混雑している場合でも、監視対象設備１０１の状態情報の通信が行われる場合がある。
【０００５】
しかしながら、この場合、監視対象設備１０１の状態情報の通信に失敗する可能性が高いため、より確実に監視対象設備１０１の状態情報を設備管理サーバ１０３に送出する通信方法が要求されている。
【０００６】
本発明は、上記事情に鑑みてなされたもので、最適な通信ネットワークの環境で設備情報を設備管理サーバに通信することのできる設備監視制御装置、設備監視制御システム、プログラム及び記録媒体を提供することを目的とする。
【０００７】
【課題を解決するための手段】
請求項１に記載の発明は、動作状態が変化する監視対象設備との間で前記動作状態に係る１または複数種類の設備情報の通信を行う第１の通信手段と、前記第１の通信手段により受信した設備情報を記憶する記憶手段と、前記記憶手段に記憶された設備情報を通信ネットワークを介して設備管理サーバに通信する第２の通信手段と、前記第２の通信手段により行われた設備情報の通信結果に基づいて、前記第２の通信手段の新たな通信タイミングを導出し、その通信タイミングで前記第２の通信手段に通信を行わせる通信制御手段とを備えることを特徴とする設備監視制御装置である。
【０００８】
請求項７に記載の発明は、設備監視制御装置に、動作状態が変化する監視対象設備の前記動作状態に係る１または複数種類の設備情報を該監視対象設備から取得させて、その取得した設備情報を、前記監視対象設備の動作状態を監視する設備管理サーバに提供させるためのプログラムであって、前記設備監視制御装置を、前記監視対象設備との間で前記設備情報の通信を行う第１の通信手段と、前記第１の通信手段により受信した設備情報を記憶する記憶手段と、前記記憶手段に記憶された設備情報を通信ネットワークを介して設備管理サーバに通信する第２の通信手段と、前記第２の通信手段により行われた設備情報の通信結果に基づいて、前記第２の通信手段の通信タイミングを導出し、その通信タイミングで前記第２の通信手段に通信を行わせる通信制御手段として機能させるためのプログラムである。
【０００９】
請求項８に記載の発明は、設備監視制御装置に、動作状態が変化する監視対象設備との間で、前記動作状態に係る１または複数種類の設備情報の通信を行う第１の通信手段と、前記第１の通信手段により受信した設備情報を記憶する記憶手段と、前記記憶手段に記憶された設備情報を通信ネットワークを介して、前記監視対象設備の状態を監視する設備管理サーバに通信する第２の通信手段と、前記第２の通信手段により行われた設備情報の通信結果に基づいて、前記第２の通信手段の通信タイミングを導出し、その通信タイミングで前記第２の通信手段に通信を行わせる通信制御手段としての機能を搭載させて、前記監視対象設備から取得した設備情報を前記設備管理サーバに提供させるためのプログラムが記録された、前記設備監視制御装置により読取可能な記録媒体である。
【００１０】
請求項１，７，８に記載の発明によれば、第１の通信手段により、動作状態が変化する監視対象設備から前記動作状態に係る１または複数種類の設備情報を受信すると、記憶手段にこの設備情報が記憶される。また、記憶手段に記憶された設備情報は、第２の通信手段により、通信ネットワークを介して設備管理サーバに送信される。
【００１１】
そして、通信制御手段により、第２の通信手段と設備管理サーバとの間で行われた設備情報の通信結果に基づいて、第２の通信手段の新たな通信タイミングが導出されるとともに、第２の通信手段と設備管理サーバとの間で行われる次回以降のいずれかの通信時に、導出された通信タイミングで設備情報の通信を行うように第２の通信手段に指示される。
【００１２】
このように、過去の設備情報の通信結果に基づいて新たな通信タイミングを導出し、次回以降のいずれかの通信時に、その通信タイミングで設備管理サーバと設備情報の通信を行うように構成したので、最適な通信ネットワークの環境で設備情報を設備管理サーバに通信することが可能となる。
【００１３】
設備情報の通信タイミングを導出する一形態として、例えば、前記監視対象設備を、資源を所定の消費場所に供給するための設備とした場合に、前記第１の通信手段に、第１の所定時間内における資源の使用量に係る第１の設備情報と、前記第１の所定時間に比して長い第２の所定時間内における資源の使用量に係る第２の設備情報とを前記監視対象設備との間で通信させ、前記通信制御手段に、前記第１の設備情報の通信結果に基づいて、前記第２の設備情報の新たな通信タイミングを導出させ、その通信タイミングで前記第２の設備情報の通信を前記第２の通信手段に指示させるようにするとよい。
【００１４】
請求項３に記載の発明は、請求項１または２に記載の設備監視制御装置において、前記通信制御手段は、前記設備管理サーバとの間で行った前記設備情報の通信の失敗回数に基づいて、前記新たな通信タイミングを導出することを特徴とするものである。
【００１５】
この発明によれば、設備管理サーバとの間で行った設備情報の通信の失敗回数に基づいて、新たな通信タイミングを導出するようにしたので、通信状況が良好なタイミングで、設備情報を設備管理サーバに送出することができる。
【００１６】
請求項４に記載の発明は、請求項１または２に記載の設備監視制御装置において、前記通信制御手段は、前記設備管理サーバとの間で行った前記設備情報の通信を行うためのコネクションの確立に要した時間に基づいて、前記新たな通信タイミングを導出することを特徴とするものである。
【００１７】
この発明によれば、設備管理サーバとの間で行った設備情報の通信を行うためのコネクションの確立に要した時間に基づいて、新たな通信タイミングを導出するようにしたので、通信状況が良好なタイミングで、設備情報を設備管理サーバに送出することができる。
【００１８】
請求項５に記載の発明は、請求項１または２に記載の設備監視制御装置において、前記通信制御手段は、前記設備管理サーバとの間で行った設備情報の通信の実効速度に基づいて、前記通信タイミングを導出することを特徴とするものである。
【００１９】
この発明によれば、設備管理サーバとの間で行った前記設備情報の通信の実効速度に基づいて、前記通信タイミングを導出するようにしたので、通信状況が良好なタイミングで、設備情報を設備管理サーバに送出することができる。
【００２０】
請求項６に記載の発明は、請求項１ないし５のいずれかに記載の設備監視制御装置と、前記設備監視制御装置との間で所定の通信線を介して通信可能に接続された、動作状態が変化する監視対象設備と、前記設備監視制御装置に通信ネットワークを介して通信可能に接続された設備管理サーバとを備え、前記監視対象設備は、自己の動作状態に係る１または複数種類の設備情報を前記通信線を介して前記設備監視制御装置に送信する送信手段を有し、前記設備管理サーバは、前記設備監視制御装置から送信される前記設備情報を受信する受信手段と、受信した設備情報を記憶する記憶手段とを有することを特徴とする設備監視制御システムである。
【００２１】
この発明によれば、監視対象設備の送信手段から該監視対象設備の動作状態に係る１または複数種類の設備情報が所定の通信線を介して設備監視制御装置に送信されると、設備監視制御装置の第１の通信手段によりその設備情報が受信され、記憶手段に記憶される。また、記憶手段に記憶された設備情報は、第２の通信手段により、通信ネットワークを介して設備管理サーバに送信される。設備監視制御装置から送信された設備情報は設備管理サーバの受信手段により受信され、記憶手段に記憶される。
【００２２】
一方、設備監視制御装置において、通信制御手段により、第２の通信手段と設備管理サーバとの間で行われた設備情報の通信結果に基づいて、第２の通信手段の通信タイミングが導出され、第２の通信手段と設備管理サーバとの間で行われる次回以降のいずれかの通信時に、導出された通信タイミングで設備情報の通信を行うように第２の通信手段に指示される。
【００２３】
このように、過去の設備情報の通信結果に基づいて通信タイミングを導出し、次回以降のいずれかの通信時に、その通信タイミングで設備管理サーバと設備情報の通信を行うように構成したので、最適な通信ネットワークの環境で設備の情報を設備管理サーバに通信することが可能となる。
【００２４】
【発明の実施の形態】
本発明に係る設備監視制御システムの実施形態について説明する。
【００２５】
図１は、本実施形態の設備監視制御システムの構成図である。
【００２６】
図１に示すように、本実施形態の設備監視制御システム１は、複数の監視対象設備２と、各監視対象設備２に対応して設けられ、監視対象設備２の動作状態の監視や制御を行う複数の設備監視制御装置３と、設備監視制御装置３や監視対象設備２に関する各種情報の収集及び管理を行う設備管理サーバ４とを備えており、監視対象設備２と設備監視制御装置３とは所定の通信線Ｌ１で、設備監視制御装置３と設備管理サーバ４とは通信ネットワークを介して接続されている。
【００２７】
監視対象設備２は、例えばビル内の各部屋に配設される空調機器や照明機器等の電力設備や、該ビルに供給される水を収容するタンク、タンク内の水を各部屋に送り出すポンプ、及びタンク内の水を各部屋に供給するための水道管等を備えてなる水道設備、あるいはガス管及び点火装置等を備えてなるガス設備等である。
【００２８】
設備監視制御装置３は、通信線Ｌ１を介して監視対象設備２から資源の使用量に関する情報を取り込み、この取り込んだ情報を、分散データベース技術における後述の同期通信により通信ネットワークを介して設備管理サーバ４に送出する。これにより、設備管理サーバ４において、例えばビルに設置される複数の監視対象設備２における資源（電気、水、ガス等）の使用量を遠隔的に監視することができる。
【００２９】
監視対象設備２から取り込む資源の使用量に関する情報として、その使用量の瞬間値に係る情報（以下、瞬間値情報という）と、各時間帯における使用量（時間帯毎に上記瞬間値を累積した値）に係る情報（以下、累積値情報という）とを有する。また、本実施形態では、使用量の瞬間値とは、１分あたりの使用量をいい、各時間帯における使用量とは１時間あたりの使用量をいうものとする。
【００３０】
設備監視制御システム１においては、瞬間値情報と累積値情報とで、設備監視制御装置３から設備管理サーバ４に送信するタイミングが異なる。
【００３１】
すなわち、設備監視制御装置３は、自機が管理する監視対象設備２から１分周期で取り込んだ瞬間値情報については、設備管理サーバ４において１分毎の使用量の推移をリアルタイムで表示する必要があるため、設備管理サーバ４に１分周期で送信する。
【００３２】
一方、１時間周期で取り込んだ累積値情報については、設備管理サーバ４において１時間ごとの使用量の推移をリアルタイムで表示する必要はないため、設備管理サーバ４に１日に１回だけ送信する。
【００３３】
ところで、設備監視制御装置３と設備管理サーバ４との間において累積値情報や瞬間値情報の通信が失敗すると、次回の通信時にその失敗した分も含めて通信することとなることにより、その次回の通信が失敗する可能性はより一層高くなる。
【００３４】
そこで、本実施形態においては、累積値情報及び瞬間値情報のうち累積値情報を設備監視制御装置３から設備管理サーバ４により確実に送信するため、累積値情報の送信タイミングを、設備監視制御装置３から設備管理サーバ４に送信された過去（本実施形態においては前日）の瞬間値情報の通信状況に基づいて決定するようにしており、ここに本実施形態の主たる特徴がある。
【００３５】
なお、通信の失敗により次回通信時の失敗可能性がより高くなることは瞬間値情報の通信についても言えることであるが、本実施形態では、説明の都合上、累積値情報についてのみ、送信タイミングを過去の瞬間値情報の通信状況に基づいて決定するものとする。
【００３６】
設備監視制御装置３から設備管理サーバ４への累積値情報の送信タイミングを決定する上記瞬間値情報の通信状況（パラメータ）としては、例えば、１日のうちの各時間帯における瞬間値情報の通信に失敗した回数や、各時間帯において瞬間値情報の通信を行うためのコネクション（通信路）の確立に要する時間、あるいは各時間帯における瞬間値情報の通信実効速度がある。
【００３７】
本実施形態では、１日のうちの各時間帯における瞬間値情報の通信に失敗した回数を上記パラメータとして、設備監視制御装置３から設備管理サーバ４への累積値情報の送信タイミングを決定している。
【００３８】
設備監視制御装置３と設備管理サーバ４とを通信可能に接続する通信ネットワークは、公衆電話回線、専用線等の電気通信回線を含み、設備監視制御装置３と設備管理サーバ４とは、例えばＴＣＰ／ＩＰ（ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）を利用した通信方式による通信が可能となっている。
【００３９】
図２は、ＴＣＰ／ＩＰを利用した通信方式による通信のコネクションを確立する際に、設備監視制御装置３と設備管理サーバ４との間で行われる通信シーケンスを示す図である。なお、以下の説明において、設備管理サーバ４が設備監視制御装置３と共通の瞬間値情報や累積値情報を保有するために行われる通信を同期通信という。
【００４０】
図２に示すように、まず、設備監視制御装置３は、設備管理サーバ４に対しコネクション（通信路）の要求を行う（♯１）。これを受けて、設備管理サーバ４は、設備監視制御装置３に対し、コネクションの確立を許可する旨の確認応答を行い（♯２）、設備監視制御装置３は、設備管理サーバ４に対し確認応答を行う（♯３）。その後、設備監視制御装置３は、同期通信要求を行い（♯４）、設備管理サーバ４に対し同期通信応答を行う（♯５）。
【００４１】
なお、ＴＣＰ通信のパケットは、ヘッダ情報とボディ部情報に分かれており、♯１〜♯３においては、ヘッダ情報のみでボディ部情報が空のパケットであり、♯４，♯５においては、ヘッダ情報に加えてボディ部情報に同期通信に関する情報が含まれるパケットである。また、♯４においては、同期通信を要求する旨の情報と同期通信を行う情報（瞬間値情報または累積値情報）が含まれており、♯５においては、同期通信の結果情報（成功／失敗）が含まれる。
【００４２】
図３は、設備監視制御装置３の制御ブロック図である。
【００４３】
図３に示すように、設備監視制御装置３は、第１通信部３１と、情報書込部３２、記憶部３３、カウント部３５、同期タイミング計算部３６及び同期通信指示部３７を備えてなる制御部３８と、第２通信部３４とを有する。
【００４４】
なお、設備監視制御装置３は、例えばフレキシブルディスク、ＣＤ−ＲＯＭ、ＣＤ−Ｒ、あるいはＤＶＤ−Ｒなどの外部の記録媒体との間でデータの読み書きを行う図略の装置を備え、この装置を用いて、各種のプログラムを記録した記録媒体から該プログラムをインストールする。
【００４５】
インストールされるプログラムの１つとして、当該設備監視制御装置３を、第１通信部３１、情報書込部３２、記憶部３３、カウント部３５、同期タイミング計算部３６、同期通信指示部３７及び第２通信部３４として機能させるためのプログラムが含まれており、設備監視制御装置３はこのプログラムをインストールすることで、機能的に第１通信部３１等を備えることとなる。
【００４６】
第１通信部３１は、自機が管理する監視対象設備２との間で、瞬間値情報及び累積値情報を含む各種情報の通信を行うものである。
【００４７】
情報書込部３２は、第１通信部３１により受信した瞬間値情報及び累積値情報を記憶部３３に書き込むものである。
【００４８】
記憶部３３は、情報書込部３２に書き込まれた瞬間値情報及び累積値情報を記憶するデータベース部と、瞬間値情報及び累積値情報を設備管理サーバ４との間で同期通信する通信タイミングをテーブル形式で記憶するタイミング記憶部と、設備管理サーバ４との間で行われた同期通信の結果に係る情報（以下、結果情報という）を記憶する結果情報記憶部とを含む。
【００４９】
記憶部３３（データベース部）には、図４、図５に示すように、瞬間値情報及び累積値情報がテーブル形式で記憶されている。
【００５０】
図４に示すテーブルは、設備種類（電力設備等）、年、月、日、時、分及び瞬間値をフィールドとして備え、電力設備、ガス設備及び水道設備について、それぞれ１分おきにレコードが蓄積されたものである。図４に示すテーブルは、例えば矢印Ａに示すように、２００２年１１月１８日００時００分から０１分までの間に２０（ｋＷ）の電力が消費されたことを示す。
【００５１】
図５に示すテーブルは、設備種類（電力設備等）、年、月、日、時及び累積値をフィールドとして備え、電力設備、ガス設備及び水道設備について、それぞれ１時間おきにレコードが蓄積されたものである。図５に示すテーブルは、例えば矢印Ｂに示すように、２００２年１１月１８日００時００分から０１時００分までの間に１００００（ｋＷ）の電力が消費されたことを示す。
【００５２】
第２通信部３４は、図１に示す設備管理サーバ４との通信（瞬間値情報及び累積値情報の同期通信を含む）を始めとして、設備管理サーバ４との間で各種情報の通信を行うものである。
【００５３】
カウント部３５は、第２通信部３４と設備管理サーバ４との間で行われる瞬間値情報の同期通信の失敗回数をカウントし、記憶部３３（結果情報記憶部）に格納するものである。設備管理サーバ４との同期通信の失敗は、該設備管理サーバ４とのコネクションが確立できなかったり（図２に示すシーケンスのうち♯３までの通信処理ができなかったり）、同期通信中にタイムアウトとなったりする等が要因となる。
【００５４】
同期タイミング計算部３６は、第２通信部３４により行われた同期通信の結果情報を取得し、その結果情報に基づいて累積値情報の通信タイミングを計算するものである。具体的な通信タイミングの計算方法については後述する。
【００５５】
同期通信指示部３７は、同期タイミング計算部３６により算出された新たな通信タイミングにより累積値情報の同期通信を行うように、第２通信部３４に対して指示するものである。
【００５６】
一方、監視対象設備２は、詳しくは図示しないが、当該監視対象設備２が供給する資源の使用量の瞬間値及び累積値を検出する検出部と、設備監視制御装置３との間で通信を行う通信部とを有する。
【００５７】
設備管理サーバ４は、図１に示すように、設備監視制御装置３との間で通信を行う通信部４１と、この通信部により受信した瞬間値情報及び累積値情報を記憶するデータベース部４２とを有する。
【００５８】
図６は、設備監視制御装置３と設備管理サーバ４との間で行われる同期通信のシーケンスを示す図である。なお、図６において、「長間隔」とは累積値情報を設備監視制御装置３と設備管理サーバ４との間で行う同期通信における通信タイミングの時間間隔をいい、「短間隔」とは瞬間値情報を設備監視制御装置３と設備管理サーバ４との間で行う同期通信における通信タイミングの時間間隔をいう。また、細線矢印で示す情報の授受は、瞬間値情報の同期通信を示し、太線矢印で示す情報の授受は、累積値情報の同期通信を示す。
【００５９】
図６に示すように、累積値情報の通信タイミングが０２時００分に設定されている（設備監視制御装置３の記憶部３３に累積値情報の通信タイミングが０２時００分と記憶されている）ものとすると、同期通信指示部３７の指示を受けて第２通信部３４により、この時刻に累積値情報が設備監視制御装置３から設備管理サーバ４に送出される。
【００６０】
これにより、設備管理サーバ４のデータベース部４２に格納されている累積値情報が更新され、設備管理サーバ４の通信部４２から設備監視制御装置３の第２通信部３４にその同期通信の結果情報が返信される。
【００６１】
また、瞬間値情報の通信タイミングが１分に設定されている（設備監視制御装置３の記憶部３３に瞬間値情報の通信周期が１分と記憶されている）ものとすると、１分間隔で、同期通信指示部３７の指示を受けて第２通信部３４により瞬間値情報が設備管理サーバ４に送出される。
【００６２】
これにより、１分毎に、設備管理サーバ４のデータベース部４２に格納されている瞬間値情報が更新されるとともに、設備管理サーバ４の通信部４２から設備監視制御装置３の第２通信部３４にその同期通信の結果情報が返信される。
【００６３】
そして、例えば２４時００分に、設備監視制御装置３において、記憶部３３に格納されている前日分の瞬間値情報の通信結果を参照して、本日の累積値情報の通信タイミングを導き出し、この通信タイミングを記憶部３３に格納する。図４に示すように、本日の累積値情報の通信タイミングが０３時００分に設定されたものとすると、本日は、この時刻に累積値情報が設備管理サーバ４に送出される。
【００６４】
本日の累積値情報の通信タイミングを導き出す際、本実施形態では、上述したように、前日における瞬間値情報の通信結果の一例である、１日のうちの各時間帯における瞬間値情報の通信に失敗した回数に基づいて導き出す。
【００６５】
図７は、記憶部３３に格納されている、前日における各時間帯における瞬間値情報の通信に失敗した回数のテーブル（以下、失敗回数テーブルという）を示す図である。
【００６６】
図７は、例えば矢印Ｃに示すように、００時００分から０１時００分までの時間帯において行われた瞬間値情報の同期通信のうち５回は失敗に終わったことを示している。
【００６７】
本実施形態では、２４時００分に、記憶部３３に格納されている図７に示す前日分の失敗回数テーブルを参照し、累積値情報を設備監視制御装置３から設備管理サーバ４により確実に送出するために、失敗回数の最も少ない時間帯（図７においては、０３時００分〜０４時００分の時間帯、例えば０３時００分を計時したタイミング）を、本日の累積値情報の通信タイミングとする。
【００６８】
なお、失敗回数テーブルにおける通信失敗数をリセットするタイミングは、２４時００分に実施してもよいし、１週間や１ヶ月毎に実施してもよい。
【００６９】
このように、過去の通信失敗の回数に基づいて通信状況が最も良好な時間帯を導き、この時間帯を新たな累積値情報の通信タイミングとしたので、より確実に累積値情報を設備管理サーバ４に送出することができ、設備監視制御システムの信頼性を向上することができる。
【００７０】
次に、本発明に係る設備監視制御システムの第２の実施形態について説明する。
【００７１】
本実施形態においては、本日の累積値情報の通信タイミングを決定するパラメータが第１の実施形態と異なり、他の部分については略同様であるから、その相違点についてのみ説明する。
【００７２】
本実施形態では、本日の累積値情報の通信タイミングを計算する際に利用するパラメータとして、設備監視制御装置３と設備管理サーバ４との間で行われた前日の瞬間値情報の同期通信におけるコネクションの確立時間を利用したものである。コネクションの確立時間は、図２に示すように、設備監視制御装置３が設備管理サーバ４に対しコネクション（通信路）の要求を行ってから（♯１）、確認応答を行う（♯３）までの時間をいう。
【００７３】
図８は、設備監視制御装置３の記憶部３３に格納されている、前日の各時間帯における上記コネクション確立時間の累計値のテーブル（以下、確立時間テーブルという）を示す図である。
【００７４】
図８は、例えば矢印Ｄに示すように、００時００分から０１時００分までの時間帯において行われた瞬間値情報の同期通信におけるコネクション確立時間の累計値が３５０００（ｍｓ）であったことを示している。
【００７５】
本実施形態では、例えば２４時００分に、記憶部３３に格納されている図６に示す前日分の確立時間テーブルを参照し、累積値情報を設備監視制御装置３から設備管理サーバ４により確実に送出するために、最も早くコネクションを確立できた時間帯（図８においては、０３時００分〜０４時００分の時間帯）を、本日の累積値情報の通信タイミングとする。
【００７６】
このように、過去の通信におけるコネクションの確立時間に基づいて通信状況が最も良好な時間帯を導き、この時間帯を新たな累積値情報の通信タイミングとしたので、より確実に累積値情報を設備管理サーバ４に送出することができ、設備監視制御システム１の信頼性を向上することができる。
【００７７】
また、設備監視制御装置３から設備管理サーバ４への累積値情報の送信タイミングを決定する際のパラメータを、累積値情報の同期通信の失敗回数としたので、通信タイミングを導出するためのプログラムを比較的容易に作成することができる。
【００７８】
次に、本発明に係る設備監視制御システムの第３の実施形態について説明する。
【００７９】
本実施形態においても、第２の実施形態と同様に、本日の累積値情報の通信タイミングを計算する際に利用するパラメータが第１の実施形態と異なり、他の部分については略同様であるから、その相違点についてのみ説明する。
【００８０】
本実施形態では、本日の累積値情報の通信タイミングを計算する際に利用するパラメータとして、設備監視制御装置３と設備管理サーバ４との間で行われた前日における瞬間値情報の同期通信のデータ量と通信時間との比（実効速度）を利用したものである。
【００８１】
図９は、記憶部３３に格納されている、前日の各時間帯における瞬間値情報の同期通信で通信したデータの情報量の累計値、同期通信に要した通信時間の累計値及びデータ量と通信時間との比（実効速度）のテーブル（以下、実効速度テーブルという）を示す図である。
【００８２】
図９は、例えば矢印Ｅに示すように、００時００分から０１時００分までの時間帯において行われた瞬間値情報の同期通信において、データ量の累計が９００００００（ｂｉｔ）、通信時間の累計が６０００（ｍｓ）であり、実効速度が９００００００（ｂｉｔ）／６０００（ｍｓ）＝１．５（Ｍｂｐｓ）であったことを示している。
【００８３】
本実施形態では、２４時００分に、記憶部３３に格納されている図９に示す前日分の実効速度テーブルを参照し、累積値情報を設備監視制御装置３から設備管理サーバ４により確実に送出すべく、最も実効速度が大きい時間帯（図９においては、０３時００分〜０４時００分の時間帯）を、本日の累積値情報の通信タイミングとする。
【００８４】
このように、過去の通信における実効速度に基づいて通信状況が最も良好な時間帯を導き、この時間帯を新たな累積値情報の通信タイミングとしたので、より確実に設備情報を設備管理サーバ４に送出することができ、設備監視制御システム１の信頼性を向上することができる。
【００８５】
また、第１の実施形態から第３の実施形態に共通して、累積値情報の通信タイミングが自動的に導出されるので、逐一、通信タイミングの管理やメンテナンスを行う必要がなくなる。
【００８６】
本発明は、上記実施形態に限らず、次のような他の変形形態（１）〜（４）が採用可能である。
【００８７】
（１）設備監視制御装置３が監視及び制御する監視対象設備２は、電力設備や水道設備、あるいはガス設備に限らず、例えば煙センサ、温度センサ及び湿度センサ等のセンサ、電子錠装置等の住戸設備、テレビジョン、ビデオテープレコーダ、ＤＶＤレコーダ及び洗濯機等の家電製品、コンピュータ等の情報処理装置、電話機及びファクシミリ装置等の通信機器、そして、脈拍計、体温計、血中酸素濃度計及び心電図計等の医療機器等などでもよく、要は動作状態が変化し、その動作状態を監視する必要がある設備であればよい。また、設備監視制御装置３と設備管理サーバ４との間で行われる同期通信により通信される設備情報は、瞬間値情報や累積値情報に限らず、監視対象設備の種類に応じて変更可能である。
【００８８】
（２）上記実施形態では、説明の明瞭化のため、異なる２種類の情報（瞬間値情報及び累積値情報）を同期通信するとともに、一方の情報（上記実施形態では瞬間値情報）の通信結果を用いて、他方の情報（上記実施形態では累積値情報）の同期通信の通信タイミングを算出する構成としたが、これに限られない。
【００８９】
例えば、上記実施形態では、１日に１回、累積値情報の同期通信を行うようにしていたところを、１時間に１回、同じ時刻に累積値情報の同期通信を行うように変更するとともに、１ヶ月間の累積値情報の同期通信の通信結果を記憶し、この通信結果に基づいて、翌月における累積値情報の同期通信の通信タイミングを算出するというように、１の情報についての過去の通信結果に基づいて、該情報の新たな通信タイミングを算出するように構成してもよい。また、複数の情報の通信結果に基づいて、特定の情報の通信タイミングを算出するようにしてもよい。
【００９０】
（３）累積値情報の通信タイミングを算出するタイミングは、上記の２４時００分に限られず、適宜設定可能である。
【００９１】
（４）上記実施形態では、設備監視制御装置３は、累積値情報についても監視対象設備２から取り込むようにしているが、これに限らず、設備監視制御装置３において監視対象設備２から取り込んだ瞬間値情報に基づいて累積値を算出し、この累積値情報を設備管理サーバ４に送出するようにしてもよい。
【００９２】
【発明の効果】
請求項１，７，８に記載の発明によれば、過去の設備情報の通信結果に基づいて新たな通信タイミングを導出し、次回以降のいずれかの通信時に、その通信タイミングで設備管理サーバと設備情報の通信を行うように構成したので、最適な通信ネットワークの環境で設備情報を設備管理サーバに通信することができる。
【００９３】
請求項２に記載の発明によれば、前記監視対象設備を、資源を所定の消費場所に供給するための設備とした場合に、第１の通信手段に、第１の所定時間内における資源の使用量に係る第１の設備情報と、前記第１の所定時間に比して長い第２の所定時間内における資源の使用量に係る第２の設備情報とを前記監視対象設備との間で通信させ、前記通信制御手段に、前記第１の設備情報の通信結果に基づいて、前記第２の設備情報の新たな通信タイミングを導出させ、その通信タイミングで前記第２の設備情報の通信を前記第２の通信手段に指示させるようにしたので、最適な通信ネットワークの環境で第２の設備情報を設備管理サーバに通信することができる。
【００９４】
請求項３に記載の発明によれば、設備管理サーバとの間で行った設備情報の通信の失敗回数に基づいて、新たな通信タイミングを導出するようにしたので、通信状況が良好なタイミングで、設備情報を設備管理サーバに送出することができる。
【００９５】
請求項４に記載の発明によれば、設備管理サーバとの間で行った設備情報の通信を行うためのコネクションの確立に要した時間に基づいて、新たな通信タイミングを導出するようにしたので、通信状況が良好なタイミングで、設備情報を設備管理サーバに送出することができる。
【００９６】
請求項５に記載の発明によれば、設備管理サーバとの間で行った設備情報の通信の実効速度に基づいて、前記通信タイミングを導出するようにしたので、通信状況が良好なタイミングで、設備情報を設備管理サーバに送出することができる。
【００９７】
請求項６に記載の発明によれば、過去の設備情報の通信結果に基づいて通信タイミングを導出し、次回以降のいずれかの通信時に、その通信タイミングで設備管理サーバと設備情報の通信を行うように構成したので、最適な通信ネットワークの環境で設備の情報を設備管理サーバに通信することができる。
【図面の簡単な説明】
【図１】本発明に係る設備監視制御システムの実施形態を示す構成図である。
【図２】ＴＣＰ／ＩＰを利用した通信方式による通信のコネクションを確立する際に、設備監視制御装置と設備管理サーバとの間で行われる通信シーケンスを示す図である。
【図３】設備監視制御装置の制御ブロック図である。
【図４】瞬間値情報のテーブルの一例を示す図である。
【図５】累積値情報のテーブルの一例を示す図である。
【図６】設備監視制御装置と設備管理サーバとの間で行われる同期通信のシーケンスを示す図である。
【図７】失敗回数テーブルを示す図である。
【図８】確立時間テーブルを示す図である。
【図９】実効速度テーブルを示す図である。
【図１０】従来の遠従来の設備監視制御システムの構成を示す図である。
【符号の説明】
１  設備監視制御システム
２  監視対象設備
３  設備監視制御装置
３１  第１通信部
３２  情報書込部
３３  記憶部
３４  第２通信部
３５  カウント部
３６  同期タイミング計算部
３７  同期通信指示部
３８  制御部
４  設備管理サーバ
４１  通信部
４２  データベース部
【図１】
2004234258.tif 000003
【図２】
2004234258.tif 000004
【図３】
2004234258.tif 000005
【図４】
2004234258.tif 000006
【図５】
2004234258.tif 000007
【図６】
2004234258.tif 000008
【図７】
2004234258.tif 000009
【図８】
2004234258.tif 000010
【図９】
2004234258.tif 000011
【図１０】
2004234258.tif 000012